(57)【要約】【課題】冷蔵庫本体正面の見栄え及び外観品質の向上を図る。【解決手段】冷蔵庫本体３の観音式の開閉扉１５の下位に並列配置された引き出し式の第１、第２収納容器２５，２９の引き出し扉２３，２７を、外板３１及び内板３３と、前記外板３１及び内板３３の上下両端に設けられた上方キャップ３５及び下方キャップ３７と、前記外板３１及び内板３３の少なくとも内側に設けられたサイドキャップ３９とで断熱材４３を充填する閉空間４１を形成する一方、前記外板３１に、前面から内側サイド後方へ向けて屈曲させた屈曲延長部３１ａを設け、その屈曲延長部３１ａの延長端縁を前記サイドキャップ３９に設けられ外側壁部４７と内側壁部４９とによって形成される嵌合溝５１内に嵌合させて前記観音式の開閉扉１５と開閉扉１５の間ｄと上下に連続し合う同一隙間幅とする。【選択図】図１
2010043773.tif 000002
【特許請求の範囲】
【請求項１】
冷蔵庫本体に少なくとも観音式の開閉扉とその開閉扉の下位に並列配置された引き出し式の第１，第２収納室とを備え、
前記第１，第２収納室の引き出し扉は、外板及び内板と、前記外板及び内板の上下両端に設けられた上方キャップ及び下方キャップと、
前記外板及び内板の少なくとも内側に設けられたサイドキャップとで断熱材を充填する閉空間を備える一方、
前記外板に、前面から内側サイド後方へ向けて屈曲させた屈曲延長部を設け、その屈曲延長部の延長端縁を前記サイドキャップに設けられ外側壁部と内側壁部とによって形成される嵌合溝内に嵌合させて前記観音式の開閉扉と開閉扉の間と上下に連続し合う同一隙間幅としたことを特徴とする冷蔵庫。
【請求項２】
前記対向し合う外板の屈曲延長部と屈曲延長部の間Ｄは１０ｍｍ以下で、屈曲延長部の長さＬは１０ｍｍ以上となることを特徴とする請求項１記載の冷蔵庫。
【請求項３】
少なくとも前記サイドキャップの内壁面で、内側壁部の近傍に連続した上下に長い突条リブを設けるようにしたことを特徴とする請求項１記載の冷蔵庫。
【請求項４】
前記嵌合溝の溝底までの外側壁部の長さＬ１と内側壁部の長さＬ２はＬ２＞Ｌ１の関係に設定されていることを特徴とする請求項１記載の冷蔵庫。
【発明の詳細な説明】
【技術分野】
【０００１】
本発明は、観音式の開閉扉とその下に並列配置された引き出し式の収納室とを備えた冷蔵庫に関する。
【背景技術】
【０００２】
一般に冷蔵庫本体には冷蔵室や野菜室の外に、例えば、並列配置された製氷室及び切替室を備えている。製氷室及び切替室の扉は引き出し式となっていて収納容器と収納容器前方の引き出し扉とからなり、引き出し扉を引き出すことで収納容器内の出し入れが可能となっている。
【０００３】
並列配置された引き出し扉は、前面、後面、上面、下面、両側面の６面によって矩形の閉空間が形成され、閉空間に形成された内部には断熱材が充填される。
【０００４】
近年は環境に優れた性能に加えて、より一層の外観品質の向上が求められ、引き出し扉の前面は他の開閉扉と同様に見栄え及び外観品質面の重要な要素となっている。引き出し扉は一般に図７に示す如く金属製のパネルによって前面１０１、後面１０３、内側側面１０５及び樹脂製の上下のキャップ（仮想線で示す）とによって閉空間１０７が作られる。
【０００５】
あるいは、図８に示す如く前面１０１及び後面１０３が金属製のパネルによって、内側側面及び上下面が合成樹脂製のキャップ１０９（上下のキャップは図示していない）によって閉空間１０７が作られる組合せ構造がある。
【０００６】
その外に、引き出し扉とは異なる開閉扉において、金属製のパネルと合成樹脂製の部材を組合せる手段が公知となっている。
【０００７】
開閉扉は、前面となる金属製の外板の内側を後方となる内板へ向けて所定の長さ屈曲延長し、この屈曲延長部を合成樹脂製の枠体に嵌合させる構造となっている。
【特許文献１】特開２００５−３３７６８０号公報
【発明の開示】
【発明が解決しようとする課題】
【０００８】
見栄え及び外観品質は引き出し扉全体の構造も含めて扉と扉の間となる隙間の大きさも重要なウエイトを占めており、隙間は許す範囲内において小さい方が望ましい。この場合、金属製のパネルで作る図７に示す前者にあっては全体が連続した金属製のパネル面で形成される構造となるため、見栄え、外観品質面で優れる反面、引き出し扉と引き出し扉の間ｄ−１は、上下の引き出し部材となる上方キャップ及び下方キャップのキャップ厚（仮想線で示す）によってそのキャップ厚が隙間幅となるため、対向し合う屈曲延長部１０５の隙間が大きくなる傾向があった。大きい隙間は見栄え、外観品質の面で望ましくなく、隙間から奥の庫内仕切壁１１１が見える不具合を有し、しかも、金属製のパネルによってコストの面でも望ましくない。
【０００９】
次に、図８に示す後者となる組合せ構造にあっては、内側側面が合成樹脂製のサイドキャップ１０９が対向し合う形状となるために前記した隙間及びコスト面の解消が図れるが、反面、正面において外板との嵌合代１１３が直接見えるようになる。
【００１０】
嵌合代１１３はゴミ等が侵入し易く汚れ易い面がある等外観品質の低下を招く恐れがある。
【００１１】
一方、公知文献となる観音式の開閉扉にあっては、合成樹脂製の枠板に開閉扉を確実に止じ合わせるための磁石が対向して設けられている。枠体は磁石を取付けるための取付け部材として働いており、枠体に磁石を取付ける分、枠体と枠体の隙間が大きくなっている。
【００１２】
この結果、対向し合う内側の屈曲延長部と屈曲延長部の間は隙間がさらに拡大する恐れがある。特に、扉と扉の各隙間はそれぞれバラバラに作られているため、これらを組合せた時に見栄え、外観品質の面で重要な要素となる統一のとれた隙間が得られにくい面があった。
【００１３】
そこで、本発明にあってはコストの面でも大変好ましく、しかも、冷蔵庫本体前面の見栄え及び外観品質の向上を図った冷蔵庫を提供することを目的としている。
【課題を解決するための手段】
【００１４】
前記目的を達成するために、本発明にあっては、冷蔵庫本体に少なくとも観音式の開閉扉とその開閉扉の下位に並列配置された引き出し式の第１，第２収納室とを備え、
前記第１，第２収納室の引き出し扉は、外板及び内板と、前記外板及び内板の上下両端に設けられた上方キャップ及び下方キャップと、前記外板及び内板の少なくとも内側に設けられたサイドキャップとで断熱材を充填する閉空間を備える一方、
前記外板に、前面から内側サイド後方へ向けて屈曲させた屈曲延長部を設け、その屈曲延長部の延長端縁を前記サイドキャップに設けられ外側壁部と内側壁部とによって形成される嵌合溝内に嵌合させて前記観音式の開閉扉と開閉扉の間と上下に連続し合う同一隙間幅としたことを特徴とする。
【発明の効果】
【００１５】
本発明によれば、引き出し扉の内側屈曲延長部を正面の外板と一体の連続し合う形状にできるため、正面においてサイドキャップとの嵌合代が直接見えることがなくなる。しかも、開閉扉の隙間と引き出し扉の隙間を上下に連続し合う同一隙間幅に揃えることができるため冷蔵庫本体の前面の見栄え及び外観品質の向上を図ることができる。
【００１６】
また、内側にサイドキャップを使用することで全体を金属製のパネルにする必要がなくなる分、コストの面でも大変好ましいものとなる。
【発明を実施するための最良の形態】
【００１７】
本発明を実施するにあたって第１に、前記対向し合う外板の屈曲延長部と屈曲延長部の間Ｄを１０ｍｍ以下で、屈曲延長部の長さＬを１０ｍｍ以上とすることで、全閉時において引き出し扉と引き出し扉の隙間から仕切壁とサイドキャップの外側壁面が直接みえないようにすることが望ましい。
【００１８】
第２に、少なくとも前記サイドキャップの内壁面で、内側壁部の近傍に連続した上下に長い突条リブを設けるようにすることで、突条リブがサイドキャップの溝内部領域を補強する補張リブとして働くようにすることが望ましい。
【００１９】
第３に、前記嵌合溝の溝底までの外側壁部の長さＬ１と内側壁部の長さＬ２をＬ２＞Ｌ１の関係に設定することで、内側の嵌合代領域を長く確保し、断熱材が外へ流れ出るのを抑えるようにすることが望ましい。
【実施例】
【００２０】
以下、図１乃至図６の図面を参照しながら本発明の実施形態について具体的に説明する。
【００２１】
図６は本発明にかかる冷蔵庫の概要斜視図を示している。冷蔵庫１の冷蔵庫本体３は、上から順に冷蔵室５と左右に配置された第１、第２収納室となる製氷室７及び切替室９と冷凍室１１となっている。この場合、冷凍室１１の外に野菜室を備える構造であってもよい。
【００２２】
冷蔵室５は前面がヒンジ１３を支点として開閉する観音式の開閉扉１５となっていて、対向配置された各コントロールパネル１７のタッチ操作部１９をそれぞれ押圧操作することで開扉助勢装置２１が働き、ヒンジ１３を支点として両開きが可能となる。
【００２３】
コントロールパネル１７は、装飾部材を兼ねて扉と同じ長さの上下に長い帯板状の形状に作られコントロールパネル１７とコントロールパネル１７の間は、上下に長い所定の隙間ｄを有している。
【００２４】
一方、製氷室７と切替室９は並列配置された引き出し式となって、図２、図４に示す如く前方の引き出し扉２３とその引き出し扉２３に取付けられた収納容器２５とで構成されている。製氷室７はマイナス温度に、切替室９はマイナス温度からプラス温度まで切替可能となっている。
【００２５】
各引き出し扉２３は、いずれも金属製の外板３１及び内板３３と、前記外板３１及び内板３３の上下両端に設けられた合成樹脂製の上方キャップ３５及び下方キャップ３７並びに内側に設けられたサイドキャップ３９とにより閉空間４１が作られた構造となっている。この場合、引き出し扉２３は、図５に示す如く外側のサイドキャップをなくした形状となっているが、サイドキャップを設ける手段であってもよい。
【００２６】
引き出し扉２３の閉空間４１は、充填時において、流動性の性状を備えたウレタン等の断熱材４３が充填されている。
【００２７】
上方キャップ３５は、前面に手をかけて引き出すための幅方向に長い取手部３５ａを有している。
【００２８】
サイドキャップ３９は、図２に示す如くパネル状に形成され後端（図面上方）には取付けリブ４５が、前端には外側壁部４７と内側壁部４９とによって形成される嵌合溝５１がそれぞれ設けられ、取付けリブ４５には内板３３の端末部が結合している。
【００２９】
嵌合溝５１には、外板３１の内側を前面から内側サイド後方へ向けて屈曲させた屈曲延長部３１ａの端末部が所定の嵌合代を有して嵌合している。
【００３０】
屈曲延長部３１ａは、図３に示す如く嵌合溝５１の溝底から前面パネル面までの長さＬは１０ｍｍ以上となっている。屈曲延長部３１ａと屈曲延長部３１ａの間Ｄは１０ｍｍ以下となっていて、その隙間Ｄは図１に示す如く正面から見た時に前記した開閉扉１５と開閉扉１５の間の隙間ｄと上下に連続し合う同一隙間幅の形状に作られている。
【００３１】
また、外側壁部４７の長さＬ１と内側壁部４９の長さＬ２はＬ２＞Ｌ１の関係に設定されている。Ｌ２＞Ｌ１の関係は内側において屈曲延長部３１ａとの嵌合代を外側より大きく確保することで、充填時の断熱材４３が外へ流れ出にくい構造となっている。
【００３２】
サイドキャップ３９は内壁面に前後一対の突条リブ５３，５５が設けられ、後方の突条リブ５３は前記した取付けリブ４５の近傍に、前方の突条リブ５５は内側壁部４９の溝底近傍位置にそれぞれ設けられ、サイドキャップ３９の変形及び肉ヒケ等を抑える補強リブとして働くようになっている。
【００３３】
なお、内板３３には全閉時において図２に示す如く庫内仕切壁５７の前壁面及び側壁面とそれぞれ弾接し合うシール部材５９が設けられている。
【００３４】
このように構成された冷蔵庫１によれば、並列配置された製氷室７及び切替室９の外板３１は正面から内側側面にかけて連続した一体のパネル面になることに加えて、全閉時には正面においてサイドキャップ３９との嵌合代が見えなくなる。しかも、開閉扉１５の隙間ｄと、引き出し扉２３の隙間Ｄが上下に連続し合う同一隙間幅に揃う形状となるため冷蔵庫本体３の前面の見栄え及び外観品質の向上が図れる。
【００３５】
また、内側のサイドキャップ３９の使用によって全体を金属製のパネルにする必要がなくなる分、コストの面でも大変好ましいものとなる。
【図面の簡単な説明】
【００３６】
【図１】本発明にかかる要部を示した冷蔵庫本体の概要正面図。
【図２】図１のＡ−Ａ線概要切断面図。
【図３】外板の屈曲延長部とサイドキャップの嵌合状態を示した拡大断面説明図。
【図４】第１収納容器となる製氷室側の引き出し扉を示した概要斜視図図。
【図５】図４のＢ−Ｂ線概要切断面図。
【図６】本発明にかかる冷蔵庫全体の概要斜視図。
【図７】第１の従来例を示した図２と同様の概要切断説明図。
【図８】第２の従来例を示した図２と同様の概要切断説明図。
【符号の説明】
【００３７】
３    冷蔵庫本体
１５    開閉扉
２３    引き出し扉
２５    収納容器
３１    外板
３１ａ    屈曲延長部
３３    内板
３５    上方キャップ
３７    下方キャップ
３９    サイドキャップ
４１    閉空間
４３    断熱材
４７    外側壁部
４９    内側壁部
５１    嵌合溝
５５    突条リブ
ｄ    開閉扉の隙間
【図１】
2010043773.tif 000003
【図２】
2010043773.tif 000004
【図３】
2010043773.tif 000005
【図４】
2010043773.tif 000006
【図５】
2010043773.tif 000007
【図６】
2010043773.tif 000008
【図７】
2010043773.tif 000009
【図８】
2010043773.tif 000010